(57)【要約】【課題】画像に付帯する非画像情報を識別しやすく表示することができる画像記録装置及びインデックスプリントの作成方法並びに該方法で作成されたインデックスプリントの提供。【解決手段】インデックスプリントの各々の画像に識別するための非画像情報３２ｂ（例えば、写真フィルムのコマ番号や画像データのファイル名、日付情報等）を作成し、作成した非画像情報の中から識別上重要な文字又は文字列を抽出した後、各々の文字又は文字列に所定の文字種（例えば、文字フォント、文字スタイル、文字サイズ、文字色、文字飾り等）を割り当て、画像データに変換してサムネイル画像３２ａとを合成、配列してインデックスプリント３２を作成する。これにより、画像の識別に重要な部分を強調し、非画像情報３２ｂを記載するスペースが少ない場合であっても重要な情報を分かりやすく表示することができる。【選択図】図１２
2004312124.tif 000002
【特許請求の範囲】
【請求項１】
画像記録媒体に記録された画像を読み取って画像データとして得る画像入力手段と、入力された前記画像データを所定の画像処理により変換する画像変換手段と、前記画像変換手段で変換された画像を印画するためのプリント作成手段と、前記画像変換手段で変換された画像を前記画像記録媒体又は他の画像記録媒体に記録する画像記録手段とを少なくとも有する画像記録装置において、
前記画像記録装置に記録された前記画像に基づいて作成されるサムネイル画像を配列したインデックスプリントを作成する手段を備え、各々の前記サムネイル画像には、該サムネイル画像の基となる前記画像を識別するための文字、数字、記号のいずれかを含む非画像情報が対応付けて配置され、前記非画像情報の所定の部分が、他の部分と異なる表現形態で表示されていることを特徴とする画像記録装置。
【請求項２】
前記非画像情報は、前記画像が写真フィルムから得られた画像である場合は、前記写真フィルムのコマ番号を含み、前記画像がデジタルカメラで取得された画像である場合は、前記デジタルカメラで設定されるファイル名を含むことを特徴とする請求項１記載の画像記録装置。
【請求項３】
前記非画像情報の前記所定の部分は、前記コマ番号、前記ファイル名中の拡張子の前に記載された連番数字、複数の非画像情報間で内容が異なる部分、前記非画像情報中の数字部分、予め定められた位置の文字、数字、記号、のいずれかを含むことを特徴とする請求項１又は２に記載の画像記録装置。
【請求項４】
前記表現形態は、文字フォント、文字スタイル、文字サイズ、文字色、文字飾りの有無のいずれかを含むことを特徴とする請求項１乃至３のいずれか一に記載の画像記録装置。
【請求項５】
画像記録媒体に記録された画像を読み取って画像データとして得る画像入力手段と、入力された前記画像データを所定の画像処理により変換する画像変換手段と、前記画像変換手段で変換された画像を印画するためのプリント作成手段と、前記画像変換手段で変換された画像を前記画像記録媒体又は他の画像記録媒体に記録する画像記録手段とを少なくとも有する画像記録装置におけるインデックスプリントの作成方法であって、
前記画像記録装置に記録された前記画像に基づいて作成されるサムネイル画像を配列してインデックスプリントを作成するに際し、各々の前記サムネイル画像に、該サムネイル画像の基となる前記画像を識別するための文字、数字、記号のいずれかを含む非画像情報を対応付けて配置し、前記非画像情報の所定の部分を、他の部分と異なる表現形態で表示することを特徴とするインデックスプリントの作成方法。
【請求項６】
前記非画像情報は、前記画像が写真フィルムから得られた画像である場合は、前記写真フィルムのコマ番号を含み、前記画像がデジタルカメラで取得された画像である場合は、前記デジタルカメラで設定されるファイル名を含むことを特徴とする請求項５記載のインデックスプリントの作成方法。
【請求項７】
前記非画像情報の前記所定の部分は、前記コマ番号、前記ファイル名中の拡張子の前に記載された連番数字、複数の非画像情報間で内容が異なる部分、前記非画像情報中の数字部分、予め定められた位置の文字、数字、記号、のいずれかを含むことを特徴とする請求項５又は６に記載のインデックスプリントの作成方法。
【請求項８】
前記表現形態は、文字フォント、文字スタイル、文字サイズ、文字色、文字飾りの有無のいずれかを含むことを特徴とする請求項５乃至７のいずれか一に記載のインデックスプリントの作成方法。
【請求項９】
写真フィルムを読み取って得られる画像又はデジタルカメラで撮影して得られた画像に基づいて作成されるサムネイル画像を配列したインデックスプリントであって、
各々の前記サムネイル画像には、該サムネイル画像の基となる前記画像を識別するための文字、数字、記号のいずれかを含む非画像情報が対応付けて配置され、前記非画像情報の所定の部分が、他の部分と異なる表現形態で表示されていることを特徴とするインデックスプリント。
【請求項１０】
前記非画像情報は、前記画像が写真フィルムから得られた画像である場合は、前記写真フィルムのコマ番号を含み、前記画像がデジタルカメラで取得された画像である場合は、前記デジタルカメラで設定されるファイル名を含むことを特徴とする請求項９記載のインデックスプリント。
【請求項１１】
前記非画像情報の前記所定の部分は、前記コマ番号、前記ファイル名中の拡張子の前に記載された連番数字、複数の非画像情報間で内容が異なる部分、前記非画像情報中の数字部分、予め定められた位置の文字、数字、記号、のいずれかを含むことを特徴とする請求項９又は１０に記載のインデックスプリント。
【請求項１２】
前記表現形態は、文字フォント、文字スタイル、文字サイズ、文字色、文字飾りの有無のいずれかを含むことを特徴とする請求項９乃至１１のいずれか一に記載のインデックスプリント。
【発明の詳細な説明】
【０００１】
【発明の属する技術分野】
本発明は、画像記録装置及びインデックスプリントの作成方法並びにインデックスプリントに関し、特に、写真フィルムやデジタルカメラ等の複数の入力手段の画像を基にインデックスプリントを作成する画像記録装置及びインデックスプリントの作成方法並びにインデックスプリントに関する。
【０００２】
【従来の技術】
写真フィルム上の原画を印画紙にプリントする同時プリントサービス時に、その写真フィルム上の原画をデジタイズ処理してＣＤ−Ｒ等の記録媒体に同時に保存するサービスや、デジタルカメラに装着される記録媒体内の画像データをＣＤ−Ｒ等の別の記録媒体に保存したり、バックアップするサービス（以下、ＣＤ−Ｒ書き込みサービスと呼ぶ。）が一般化されつつある。
【０００３】
また、同時プリントサービスに際して、写真フィルム上に記録された画像をサムネイル画像（縮小画像）として配列したインデックスプリントを提供するサービスも行われている。このインデックスプリントは写真フィルムに記録されている画像を一見して確認できることから、再度、写真プリントを注文する場合や写真を整理する場合などに活用される。
【０００４】
例えば、特開平８−２０１９３１号公報に記載されているように、インデックスプリントには、画像の他にコマ番号、カートリッジの識別番号などの非画像情報を併せて表示することにより、写真フィルムや他の記録媒体に収録された画像の内容を識別及び対比することができる。このような非画像情報は多数考えられるが、その中でも写真フィルムのコマの番号やデジタルカメラで撮影された画像データのファイル名中の番号などの連番数字が有効である。
【０００５】
【特許文献１】
特開平８−２０１９３１号公報（第４−７頁、第５図）
【０００６】
【発明が解決しようとする課題】
上記インデックスプリントは写真フィルムもしくはＣＤ−Ｒなどの記録媒体に収録された多くの画像を一覧表示することを主な目的としているため、１枚の用紙に出来るだけ多くの画像を表示することが望ましく、画像の名称や画像番号、撮影条件等の画像と併せて表示する非画像情報の表示スペースは一般的に少ない。その結果、表示する文字数が限られたり、多くの情報を表示しようとすると文字サイズが小さくなり視認性が悪くなるという問題があった。
【０００７】
また、非画像情報の表示スペースを大きくしようとすると１枚の用紙に表示できる画像の数が少なくなってしまい、複数のインデックスプリントを参照しないと収録された画像が確認できなくなってしまう。また、非画像情報が多くなると、コマ番号などの画像の識別に有効な情報が他の表示情報に埋もれてしまい、かえって画像の識別性が悪くなってしまう。
【０００８】
本発明は、上記問題点に鑑みてなされたものであって、その主たる目的は、画像に付帯する非画像情報を識別しやすく表示することができる画像記録装置及びインデックスプリントの作成方法並びに該方法で作成されたインデックスプリントを提供することにある。
【０００９】
【問題を解決するための手段】
上記目的を達成するため、本発明の画像記録装置は、画像記録媒体に記録された画像を読み取って画像データとして得る画像入力手段と、入力された前記画像データを所定の画像処理により変換する画像変換手段と、前記画像変換手段で変換された画像を印画するためのプリント作成手段と、前記画像変換手段で変換された画像を前記画像記録媒体又は他の画像記録媒体に記録する画像記録手段とを少なくとも有する画像記録装置において、前記画像記録装置に記録された前記画像に基づいて作成されるサムネイル画像を配列したインデックスプリントを作成する手段を備え、各々の前記サムネイル画像には、該サムネイル画像の基となる前記画像を識別するための文字、数字、記号のいずれかを含む非画像情報が対応付けて配置され、前記非画像情報の所定の部分が、他の部分と異なる表現形態で表示されているものである。
【００１０】
本発明においては、前記非画像情報は、前記画像が写真フィルムから得られた画像である場合は、前記写真フィルムのコマ番号を含み、前記画像がデジタルカメラで取得された画像である場合は、前記デジタルカメラで設定されるファイル名を含むことことが好ましい。
【００１１】
また、本発明においては、前記非画像情報の前記所定の部分は、前記コマ番号、前記ファイル名中の拡張子の前に記載された連番数字、複数の非画像情報間で内容が異なる部分、前記非画像情報中の数字部分、予め定められた位置の文字、数字、記号、のいずれかを含む構成とすることができる。
【００１２】
また、本発明においては、前記表現形態は、文字フォント、文字スタイル、文字サイズ、文字色、文字飾りの有無のいずれかを含むことが好ましい。
【００１３】
また、本発明のインデックスプリントの作成方法は、画像記録媒体に記録された画像を読み取って画像データとして得る画像入力手段と、入力された前記画像データを所定の画像処理により変換する画像変換手段と、前記画像変換手段で変換された画像を印画するためのプリント作成手段と、前記画像変換手段で変換された画像を前記画像記録媒体又は他の画像記録媒体に記録する画像記録手段とを少なくとも有する画像記録装置におけるインデックスプリントの作成方法であって、前記画像記録装置に記録された前記画像に基づいて作成されるサムネイル画像を配列してインデックスプリントを作成するに際し、各々の前記サムネイル画像に、該サムネイル画像の基となる前記画像を識別するための文字、数字、記号のいずれかを含む非画像情報を対応付けて配置し、前記非画像情報の所定の部分を、他の部分と異なる表現形態で表示するものである。
【００１４】
また、本発明のインデックスプリントは、写真フィルムを読み取って得られる画像又はデジタルカメラで撮影して得られた画像に基づいて作成されるサムネイル画像を配列したインデックスプリントであって、各々の前記サムネイル画像には、該サムネイル画像の基となる前記画像を識別するための文字、数字、記号のいずれかを含む非画像情報が対応付けて配置され、前記非画像情報の所定の部分が、他の部分と異なる表現形態で表示されているものである。
【００１５】
このように、本発明の画像記録装置では、インデックスプリントの各々の画像に識別するための非画像情報（例えば、写真フィルムのコマ番号や画像データのファイル名、日付情報等）を作成し、作成した非画像情報の中から識別上重要な文字又は文字列を抽出した後、各々の文字又は文字列に所定の文字種（例えば、文字フォント、文字スタイル、文字サイズ、文字色、文字飾り等）を割り当て、画像データに変換する。そして、画像化した非画像情報とサムネイル画像とを合成、配列してインデックスプリントを作成することにより、画像の識別に重要な部分（例えば、予め定めた所定の位置、連番数字、情報内容が変化する部分、数字部分等）を強調することができ、非画像情報を記載するスペースが少ない場合であっても重要な情報を分かりやすく表示することができ、インデックスプリント自体の価値を高めることができる。
【００１６】
【発明の実施の形態】
従来技術で説明したように、同時プリントサービスや写真フィルムから読み取った画像情報やデジタルカメラで取得した画像データをＣＤ−Ｒ等の画像記録媒体に保存するサービスが普及しており、各々のサービスにおいてサムネイル画像を配列したインデックスプリントを提供するサービスも行われている。このインデックスプリントには通常、コマ番号やカートリッジの種別番号等の非画像情報が記載されるが、インデックスプリントでは多くの画像を一覧形式で表示するためスペースに余裕がなく、必然的に非画像情報は小さく表示され、視認性が悪いという問題があり、逆に視認性をよくするために非画像情報を大きくすると、表示できる情報量が減少し、又、画像の配列数が少なくなってしまうといった問題があった。
【００１７】
そこで、本発明では、非画像情報全体のサイズを大きくするのではなく、非画像情報の中で画像を識別する上で重要な部分のみ、文字種を変えることにより、非画像情報の表示スペースを拡大することなく、効率的に非画像情報を表示できるようにしている。
【００１８】
【実施例】
上記した本発明の実施の形態についてさらに詳細に説明すべく、本発明の一実施例に係る画像記録装置を用いたインデックスプリントの具体的な作成方法について、図１乃至図１５を参照して説明する。図１は、本発明の一実施例に係る画像記録装置の構造を示す外観図であり、図２は、その構成を示すブロック図である。また、図３は、本実施例の画像記録装置におけるインデックスプリントの作成に関する手段を抽出したブロック図であり、図４及び図５は、本実施例のインデックスプリントの作成手順を示すフローチャート図である。また、図６乃至図１１は、本実施例の画像記録装置の表示部に表示される画面構成例を示す図であり、図１２乃至図１５は、本実施例の画像記録装置で作成されるインデックスプリントの構成を示す図である。
【００１９】
図１及び図２に示すように、本実施例の画像記録装置１は、様々な画像入力手段を用いて取り込んだ画像データをＣＤ−Ｒ等の画像記録媒体に記録する画像記録部２と、写真フィルムを現像し、画像データを印画紙に焼き付けて写真プリントを作成する露光／プリント部３とから構成され、これらが相互に接続され、画像記録部２から露光／プリント部３の制御が可能な構成となっている。
【００２０】
画像記録部２は、現像済みの写真フィルム１６から画像情報を読み取るフィルムスキャナ部４、写真プリント１７などの原稿から画像情報を読み取る反射原稿入力装置５、デジタルカメラ１９やカメラ付き携帯電話機などの写真撮影機能を備えた撮影機器から画像データを読み取り、また、スマートメディア、コンパクトフラッシュ（登録商標）、メモリースティック（登録商標）、ＳＤメモリーカード、マルチメディアカード等の撮影機器用の画像記録媒体（以下、入力用画像記録媒体１８と呼ぶ。）から画像データを読み取る画像読取部６等の画像入力手段と、読み取った画像データを表示したり、後述する各種画面を表示するＣＲＴ、液晶等の表示部８と、キーボード、タッチパネル、マウス等の操作部９と、読み取った画像データに画像処理を施したり、画像記録部２の動作を制御する制御部７と、読み取った画像データを所定の画像記録条件でＣＤ−Ｒ、ＤＶＤ−Ｒ、ＭＯ等の画像記録媒体（以下、出力用画像記録媒体２０と呼ぶ。）に記録する画像書込部１０と、複数のインデックスプリントのテンプレートや取り込んだ画像データを記憶する記憶部１１とを備えている。なお、図示しないが、画像入力手段として、インターネット（無線／有線を問わない）や赤外線等を用いた通信ネットワークを介して、他のコンピュータ端末やサーバから画像データを取り込む機能を備えていてもよい。
【００２１】
また、露光／プリント部３は、マガジン装填部１５を備え、ネガフィルム、ポジフィルム等の感光材料を露光する露光処理部１３と、露光された感光材料を現像処理して乾燥し、印画紙に焼き付けて写真プリント２１やインデックスプリント２２を作成するプリント作成部１４と、これらの動作を制御する制御部１２と、図示しない表示部や操作部等を備え、露光／プリント部３単独で露光、現像、プリント作成処理が可能であると共に、画像記録部２からの遠隔操作が可能となっている。
【００２２】
なお、本実施例では、画像記録部２と露光／プリント部３とが別体として構成される画像記録装置１を例にして説明するが、画像記録部２と露光／プリント部３とが一体となって構成された画像記録装置１を用いることもできる。
【００２３】
次に、本実施例の画像記録部２の制御部７の中でインデックスプリントの作成に関する部分の構成について図３を参照して説明する。制御部７には、インデックスプリントに配列表示される各々の画像を識別するための写真フィルムのコマ番号や画像データのファイル名、撮影日時等の日付情報（以下、これらの文字、数字、記号等から構成される情報を非画像情報と呼ぶ。）を作成する非画像情報作成手段２３と、非画像情報の中から画像の識別に重要な文字又は文字列（１つの文字、数字、記号であってもよいし、一連の文字、数字、記号の集合であってもよい。）を抽出する非画像情報分析手段２４と、各々の文字又は文字列に予め設定された表現形態（例えば、文字フォント、文字スタイル、文字サイズ、文字色、文字飾り等、以下、文字種と呼ぶ。）を割り当てる文字種設定手段２５と、各々の文字又は文字列を組み合わせ、画像データに変換する非画像情報画像化手段２６とを少なくとも備えている。
【００２４】
上記構成の画像記録装置１を用いて、入力用画像記録媒体１８や写真フィルム１６から読み取った画像データを用いて認識しやすい非画像情報が記載されたインデックスプリントを作成する手順について、図４及び図５のフローチャート図、図６乃至図１１の画面構成例、図１２乃至図１５のインデックスプリントの構成例を参照して説明する。
【００２５】
まず、ステップＳ１０１で、上記構成の画像記録部２を起動すると、ステップＳ１０２で、図６に示すような画像記録部２で行う処理を明示した基準画面（以下、ホーム画面２８と呼ぶ。）が表示される。このホーム画面２８には、例えば、露光／プリント部３で露光処理、プリント作成処理が行われる写真フィルムに関して設定する項目が表示される露光／プリント条件設定欄２８ａ、露光／プリント部３におけるプリント処理の状況を表示するプリント状況表示欄２８ｂ、作成するプリントやプリントに付加して実行される機能を設定する詳細設定欄２８ｃ、露光／プリント部３のセットアップやメンテナンスを実行するプリント作成部操作欄２８ｄ等が表示される。
【００２６】
具体的には、例えば、露光／プリント条件設定欄２８ａには、フィルムの露光に際して使用するマスクを選択するフィルムマスク欄と、ネガ、ポジ、白黒等のフィルムの種類を設定するフィルム種欄と、プリントする方向を設定するプリント方向欄と、再度の焼き直しに関して設定する再焼き欄とが設けられ、また、詳細設定欄２８ｃには、設定された条件を表示するステータス欄と、Ｌ判、２Ｌ判等のプリントサイズを設定するプリントサイズ欄と、通常プリント、証明写真用プリント等のプリントサービスを設定するプリントサービス欄と、プリント作成に付随する機能や読み取った画像データを用いて実行可能な機能（以下、プリント付加機能と呼ぶ。）を設定するプリント付加機能欄と、カラー、白黒、セピア等の出力の種類を設定する出力種欄と、デジタルカメラ１９や入力用画像記録媒体１８等の画像データを入力する機器や媒体を設定する入力メディア欄とが設けられている。
【００２７】
次に、ステップＳ１０３で、ユーザは画像データの入力方法の選択を行う。例えば、画像記録部２にフィルムスキャナ部４が標準的に設けられている場合には、通常はフィルムスキャナ部４で読み取った画像データが入力され、他の入力方法を選択する場合には、ホーム画面２８の入力メディア欄の中から所望のボタン（例えば、デジタルカメラ１９や他の撮影機器から読み取る場合はデジタルカメラボタン、入力用画像記録媒体１８から読み取る場合はメディアボタン、写真プリント１７等の原稿から読み取る場合はフラットベッドボタン、記憶部１１に記憶されている画像データを用いる場合はストレージ画像ボタン、通信ネットワークで接続されている他のコンピュータ端末やサーバ等の画像データを用いる場合は外部ＰＣボタン等）を選択する。
【００２８】
次に、ステップＳ１０４で、取り込んだ画像データを用いて写真プリント２１を作成するかを否かを選択する。例えば、写真プリント２１を作成する場合には、ステップＳ１０５で、ホーム画面２８の詳細設定欄２８ｃ中のプリントサイズ欄、プリントサービス欄、出力種欄等を設定する。また、写真プリント２１を作成しない場合には、ホーム画面２８の詳細設定欄２８ｃのプリントサイズ欄でプリント無しを選択する。
【００２９】
次に、ステップＳ１０６で、プリント付加機能の選択を行う。本実施例の画像記録部２では、プリント付加機能として、例えば、読み取った画像データを縮小サイズで配列した写真用インデックスプリントを作成する機能（インデックスボタン）、写真フィルムの露光処理からプリント作成処理までを自動的に行う機能（オートボタン）、写真プリント２１を２枚ずつ作成する機能（ダブルボタン）、写真プリント２１の出来映えを確認するための試し焼機能（試し焼ボタン）、読み取った画像データを通信ネットワークで接続された他のコンピュータ端末に出力する機能（外部ＰＣボタン）、画像データをＣＤ−Ｒ等の出力用画像記録媒体２０に記録する機能（ＣＤ−Ｒボタン）等が設けられており、画像データを様々な形態で利用できるように構成されている。以下の説明では、上記プリント付加機能の中で写真用インデックスプリントの作成とＣＤ−Ｒへの記録機能を選択した場合について説明するが、他の機能を選択した場合についても、表示される画面の基本的な構成や操作方法は同様である。
【００３０】
まず、ユーザがマウス等の操作部９を操作してインデックスボタンを選択すると、ステップＳ１０７で、図７に示すようなインデックス設定画面２７が表示される。このインデックス設定画面２７では、複数の入力媒体毎に写真用インデックスプリントの作成条件が設定可能となっており、各々の設定画面には、例えば、縮小画像の配列を選択するレイアウト欄と、写真プリントが作成されなかったコマ画像（パスコマ画像）を印刷する否かを選択するパスコマ印刷欄と、インデックスプリントに日付情報を印字するか否かを選択する日付印字欄と、出力するプリンタを選択する出力プリンタ欄と、撮りっきりカメラのように撮影順序が異なる写真フィルムのコマ画像の配列を通常の写真フィルムと同様に並び替える並び替え欄と、写真の形態（例えば、標準、ハイビジョン、パノラマ等）を識別可能な情報を記載するか否かを選択するＣＨＰ表示欄と、インデックスプリントの出力サイズ（幅）を選択する出力サイズ欄と、インデックスプリントのプリント枚数を選択する枚数欄と、出力サイズ欄で設定した幅に対して設定可能なインデックスプリントの寸法を選択するインデックスプリントサイズ設定欄と、入力した条件を登録するボタンや入力項目をデフォルト値に設定するボタン等が表示される。そして、ステップＳ１０８で、ユーザはこれらの項目を選択してインデックスプリントの作成条件を設定した後、”戻る”ボタンや”ホーム”ボタン等をクリックしてホーム画面２８に戻る。
【００３１】
なお、本実施例では、インデックスプリントの各画像に、該画像を識別するための写真フィルムのコマ番号又は画像データのファイル名と撮影日時等の日付情報とを表示する構成としているが、例えば、インデックス設定画面２７中に表示可能な非画像情報を選択する欄を設け、その中から選択された情報（図では、コマ番号と日付情報）を表示する構成とすることもできる。
【００３２】
次に、ユーザがマウス等の操作部９を操作してポインタをＣＤ−Ｒボタン上に移動し右クリックすると、ステップＳ１０９で、図８に示すような第１ポップアップ画面２９が、ＣＤ−Ｒボタンとの対応が分かるようにホーム画面２８のＣＤ−Ｒボタンの一部と重なるように表示される。この第１ポップアップ画面２９には、選択したプリント付加機能で設定することができるメニューが一覧表示される。例えば、ＣＤ−Ｒボタンの場合は、予め登録された画像記録条件を選択する”サービス選択”と、複数のオーダーで読み込んだ（例えば、複数の写真フィルム１６から読み取った）画像データを１つのＣＤ−Ｒにまとめて書き込むかを選択する”まとめ書き”と、画像データを記録するＣＤ−Ｒの数を設定する”ＣＤ−Ｒ枚数”と、記録媒体用インデックスプリントの作成枚数を指定する”インデックスプリント枚数”と、記録媒体用インデックスプリントのサイズを指定する”インデックスプリントサイズ”と、ＣＤ−Ｒへの記録を開始する前に書き込む画像データを画面上に表示させるかを選択する”プレビュー表示”と、”サービス選択”で表示される画像記録条件の具体的項目を設定する”サービス設定”と、インデックスプリントに関する詳細な設定を行う”インデックス設定”とが表示される。
【００３３】
次に、ユーザはポインタを移動させて第１ポップアップ画面２９の中から所望のメニューを選択すると、ステップＳ１１０で、第１ポップアップ画面２９で選択されたメニューに対応して第２ポップアップ画面３０が表示される。例えば、図９に示すように、第１ポップアップ画面２９で”インデックスプリント枚数”を選択すると、インデックスプリントを作成する枚数が選択可能となり、図１０に示すように、第１ポップアップ画面２９で”インデックスサイズ”を選択すると、インデックスプリントのサイズを自動で設定するか好みのサイズに設定する等の選択が可能となる。また、第１ポップアップ画面２９で”インデックス設定”を選択すると、図７と同様に構成されたインデックス設定画面が表示され、記録媒体用インデックスプリントの作成条件を設定することができる。
【００３４】
なお、インデックスプリントの枚数やインデックスサイズ等の設定は画像記録条件設定画面でも可能である。例えば、第１ポップアップ画面２９で”サービス設定”を選択した場合には、図１１に示すような画像記録条件設定画面３１が表示される。この画像記録条件設定画面３１では、複数の画像記録条件（ここではサービス１〜１０の１０種類）が設定可能となっており、各々の設定画面には、例えば、サービスの名称を登録する呼称欄と、オーダー番号の付番方法を選択するオーダーＮｏ．欄と、スキャン解像度を選択する解像度欄と、記録される画像データを実際にプリントされる画像と同じ領域に設定するＢＬボーダーカット欄と、ＣＤ−Ｒに保存する際のフォルダ構成を選択する保存形式欄と、画像データの変換フォーマットを選択する画像フォーマット欄と、画像フォーマット欄でＪＰＥＧを選択した場合の圧縮率を選択するＪＰＥＧ圧縮率欄と、スキャン形式を選択するスキャン形式欄と、ＣＤ−Ｒの書き込み方式を選択するファイルシステム欄と、入力種がデジタルカメラ１９の入力用画像記録媒体１８である場合に、６コマでの回転、色補正、画像フォーマット変換等の画像加工を行うかを設定するデジカメ・メディア加工欄と、記録媒体に画像データと共にアプリケーションソフトを書き込む場合にソフトの選択やコピー先のフォルダ名を設定するバンドルソフト欄と、フォルダ構成に使用するファイルの名前を生成する際の形式を選択するファイル形式欄と、記録媒体用インデックスプリントのペーパー幅やインデックスプリントの枚数を指定するインデックスサイズ欄やインデックスプリント欄と、ＣＤ−Ｒの書き込み枚数を設定するＣＤＲ書き込み数欄と、プレビュー表示を行うかを設定するプレビュー表示欄等が表示される。そして、ステップＳ１１１で、上記ＣＤ−Ｒの書き込みや記録媒体用インデックスプリントの作成に関する項目を設定する。
【００３５】
このようにして、露光／プリント条件や写真プリントの作成条件、ＣＤ−Ｒの書き込み条件と共に、写真用インデックスプリントや記録媒体用インデックスプリントの作成条件を設定した後、フィルムスキャナ部４に写真フィルム１６を装填したり、画像読取部６に入力用記録媒体１８を装填したり、操作部９又は表示部８を用いて処理の実行を指示すると、定められた条件に従って順次処理が実行される。
【００３６】
例えば、ステップＳ１１２で、ホーム画面２８の露光／プリント条件設定欄２８ａや詳細設定欄２８ｃの入力メディア欄の設定に従って画像の取り込みが行われ、写真フィルム１６から画像を読み取る場合には、ステップＳ１１３で、プレジャッジが行われ、取り込んだ画像を１コマ又は６コマ表示するプレジャッジ画面（図示せず）が表示される。このプレジャッジ画面では、スキャン位置を修正したり、色補正を行ったり、画像を回転する等の操作を行うことができる。次に、ステップＳ１１４で、詳細設定欄２８ｃのプリントサイズ欄を参照してプリント作成が指定されているか否かを判断し、プリント作成が指定されている場合は、ステップＳ１１５で、詳細設定欄２８ｃのプリントサイズ欄やプリントサービス欄、出力種欄の設定に従ってプリントの焼き付けが行われる。
【００３７】
次に、ステップＳ１１６で、詳細設定欄２８ｃのインデックスプリントボタンが選択されているかを参照して、写真用インデックスプリントを作成するか否かを判断し、選択されている場合には、ステップＳ１１７で、非画像情報作成手段２３は画像を識別するための情報を取得し、非画像情報を作成する。具体的には、写真フィルム１６から画像を取り込む場合には、フィルムスキャナ部４で写真フィルム１６の各々のコマ画像周辺に記載されたコマ番号を読み取り、また、デジタルカメラ１９で撮影した画像データを用いる場合は、そのファイル名や撮影日付情報を読み取り、それらをそのまま又は加工して非画像情報を作成する。
【００３８】
次に、ステップＳ１１８で、非画像情報分析手段２５を用いて、一連の非画像情報の中から予め定められたルールに従って特定の文字毎又は文字列毎を抽出する。具体的には、予め指定された位置（例えば、先頭から３つとか、拡張子の前の３つ）の文字又は文字列を抽出したり、非画像情報の中の数字部分のみを抽出したり、各々の非画像情報を比較して情報内容が異なる部分のみを抽出する。
【００３９】
そして、ステップＳ１１９で、文字種設定手段２５を用いて、抽出された所定の文字又は文字列と、他の文字又は文字列の各々に、予め定められた文字種（例えば、文字フォント、文字スタイル、文字サイズ、文字色、文字飾り等）を割り当てて非画像情報の一部を強調する。例えば、抽出した部分のみ特徴的なフォントに設定したり、斜体、太字等としたり、文字サイズを大きくしたり、注意を喚起する色に設定したり、下線、囲い等を付加して強調する。
【００４０】
次に、ステップＳ１２０で、非画像情報画像化手段２６を用いて、特定の文字又は文字列が強調された非画像情報を画像化し、各々の画像と合成する。そして、ステップＳ１２１で、インデックス設定画面２７の設定に従い、第１インデックス作成手段２５を用いて、例えば、図１２に示すような写真用インデックスプリント３２の焼き付けが行われる。
【００４１】
この写真用インデックスプリント３２には、例えば、写真フィルム１６に記録されたコマ画像を解像度変換したサムネイル画像３２ａが配列して表示され、各々のサムネイル画像３２ａの下部には、写真フィルム１６のコマ番号と写真撮影日時等の日付情報とからなる非画像情報３２ｂが表示される。この非画像情報３２ｂは画像の識別上重要と思われる部分（ここではコマ番号）が大きく表示され、サムネイル画像の特定が容易となるように構成されている。
【００４２】
なお、図１２は例示であり、サムネイル画像３２ａや非画像情報３２ｂのサイズ、配置、配列、非画像情報３２ｂの構成、強調方法等は任意に設定することができる。例えば、図１３に示すように、デジタルカメラ１９や入力用記録媒体１８から画像データを入力した場合には、非画像情報３２ｂとしてデジタルカメラ１９で設定される画像データのファイル名３２ｅと撮影日時等の日付情報３２ｄとが表示される。この場合には、拡張子（．ｊｐｇ）の前に記載される番号が画像の連番数字となるため、この部分を大きくすることによりサムネイル画像３２ａの特定が容易となる。
【００４３】
また、非画像情報の中で共通の部分（例えば、図１３の”ＤＳＣ”や”．ｊｐｇ”）は重要度が低く、変化している部分は重要度が高いと考えられる。そこで、非画像情報分析手段２４では、各々の非画像情報を比較して変化する部分（例えば、図１４（ａ）ではファイル名の連番の中で下２桁の数字及び日付情報中の日にち部分）を抽出して強調することもできる。また、一般に非画像情報としては数字の部分がコマ画像を識別する上で重要である場合が多いことから、非画像情報分析手段２４では、非画像情報中の数字部分のみを抽出する構成とすることもできる。なお、以上では、文字又は文字列を強調する方法として文字サイズを大きくする場合を図示したが、例えば、図１４（ｂ）に示すように文字フォントを変えたり、図１４（ｃ）に示すように下線等の文字飾りを追加する等、任意の方法を用いることができる。
【００４４】
次に、ステップＳ１２２で、詳細設定欄２８ｃのＣＤ−Ｒボタンが選択されているかを参照して、ＣＤ−Ｒに画像データを書き込むか否かを判断し、ＣＤ−Ｒに書き込みを行う場合には、ステップＳ１２３で、第１ポップアップ画面２９の”サービス選択”や画像記録条件設定画面３１の設定に従って、選択した画像データをＣＤ−Ｒ等の出力用画像記録媒体２０に書き込む。
【００４５】
次に、ステップＳ１２４で、第１ポップアップ画面２９や画像記録条件設定画面３１のインデックスプリント枚数欄やインデックスサイズ欄を参照して記録媒体用インデックスプリントを作成するか否かを判断し、作成する場合には、ステップＳ１２５で上記項目の設定に従い、第２インデックス作成手段２６を用いて、例えば、図１５に示すような記録媒体用インデックスプリント３３の焼き付けが行われる。この記録媒体用インデックスプリント３３も、写真用インデックスプリント３２と同様に各々のサムネイル画像３３ａの下部に非画像情報３３ｂが表示され、非画像情報３３ｂの中で重要度の高い部分が強調されている。なお、写真用インデックスプリント３２と記録媒体用インデックスプリント３３等の複数のインデックスプリントが同時に作成される場合には、非画像情報は複数のインデックスプリントで共通化されていることが好ましい。
【００４６】
【発明の効果】
以上説明したように、本発明の画像記録装置及びインデックスプリントの作成方法並びに該方法で作成されたインデックスプリントによれば下記記載の効果を奏する。
【００４７】
本発明の第１の効果は、非画像情報の表示スペースが小さい場合であっても各画像を確実に識別することができるということである。
【００４８】
その理由は、画像を識別するための非画像情報を作成し、非画像情報の中で画像を識別する上で重要度の高い部分を抽出し、該部分の文字種を変えて強調して表示しているため、確実に非画像情報を読み取ることができるからである。
【００４９】
また、本発明の第２の効果は、インデックスプリント自体の利用価値を高めることができるということである。
【００５０】
その理由は、画像の識別に関連する部分のみを強調しているため、より多くの情報を記録することができ、また、より多くの画像を表示することができるからである。
【図面の簡単な説明】
【図１】本発明の一実施例に係る画像記録装置の外観図である。
【図２】本発明の一実施例に係る画像記録装置の機能を示すブロック図である。
【図３】本発明の一実施例に係る画像記録装置のインデックスプリント作成に関連する手段を示すブロック図である。
【図４】本発明の一実施例に係るインデックスプリントの作成手順を示すフローチャート図である。
【図５】本発明の一実施例に係るインデックスプリントの作成手順を示すフローチャート図である。
【図６】本発明の一実施例に係る画像記録装置で表示される画面（ホーム画面）の構成例を示す図である。
【図７】本発明の一実施例に係る画像記録装置で表示される画面（インデックス設定画面）の構成例を示す図である。
【図８】本発明の一実施例に係る画像記録装置で表示される画面（第１ポップアップメニュー画面）の構成例を示す図である。
【図９】本発明の一実施例に係る画像記録装置で表示される画面（第２ポップアップメニュー画面）の他の構成例を示す図である。
【図１０】本発明の一実施例に係る画像記録装置で表示される画面（第２ポップアップメニュー画面）の他の構成例を示す図である。
【図１１】本発明の一実施例に係る画像記録装置で表示される画面（画像記録条件設定画面）の構成例を示す図である。
【図１２】本発明の一実施例に係る写真用インデックスプリントの構成を示す図である。
【図１３】本発明の一実施例に係る写真用インデックスプリントの他の構成を示す図である。
【図１４】本発明の一実施例に係る写真用インデックスプリントの他の構成を示す図である。
【図１５】本発明の一実施例に係る記録媒体用インデックスプリントの構成を示す図である。
【符号の説明】
１  画像記録装置
２  画像記録部
３  プリント作成部
４  フィルムスキャナ部
５  反射原稿入力装置
６  画像読込部
７  制御部
８  表示部
９  操作部
１０  画像書込部
１１  記憶部
１２  制御部
１３  露光処理部
１４  プリント作成部
１５  マガジン装填部
１６  写真フィルム
１７  写真プリント
１８  入力用画像記録媒体
１９  デジタルカメラ
２０  出力用画像記録媒体
２１  写真プリント
２２  インデックスプリント
２３  非画像情報作成手段
２４  非画像情報分析手段
２５  表示方法設定手段
２６  非画像情報画像化手段
２７  インデックス設定画面
２８  ホーム画面
２８ａ  露光／プリント条件設定欄
２８ｂ  プリント状況表示欄
２８ｃ  詳細設定欄
２８ｄ  プリント作成装置操作手段
２９  第１ポップアップ画面
３０  第２ポップアップ画面
３１  画像記録条件設定欄
３２  写真用インデックスプリント
３２ａ  サムネイル画像
３２ｂ  非画像情報
３２ｃ  コマ番号
３２ｄ  日付情報
３２ｅ  フィルム名
３３  記録媒体用インデックスプリント
３３ａ  サムネイル画像
３３ｂ  非画像情報
【図１】
2004312124.tif 000003
【図２】
2004312124.tif 000004
【図３】
2004312124.tif 000005
【図４】
2004312124.tif 000006
【図５】
2004312124.tif 000007
【図６】
2004312124.tif 000008
【図７】
2004312124.tif 000009
【図８】
2004312124.tif 000010
【図９】
2004312124.tif 000011
【図１０】
2004312124.tif 000012
【図１１】
2004312124.tif 000013
【図１２】
2004312124.tif 000014
【図１３】
2004312124.tif 000015
【図１４】
2004312124.tif 000016
【図１５】
2004312124.tif 000017